【手続補正書】
【提出日】平成18年1月16日(2006.1.16)
【手続補正１】
【補正対象書類名】明細書
【補正対象項目名】発明の名称
【補正方法】変更
【補正の内容】
【発明の名称】映像処理装置および制御方法
【手続補正２】
【補正対象書類名】明細書
【補正対象項目名】特許請求の範囲
【補正方法】変更
【補正の内容】
【特許請求の範囲】
【請求項１】  放送波から得られた第１の映像と、記録媒体から再生された第２の映像とを表示手段に表示する第１の表示モードと、前記第１の映像を前記表示手段に表示するが、前記第２の映像を前記表示手段に表示しない第２の表示モードとを有する映像処理装置であって、
前記第１の表示モードを前記第２の表示モードに切り換えるための指示が検出された場合は、前記第２の映像の再生を停止させ、前記第２の表示モードを前記第１の表示モードに切り換えるための指示が検出された場合は、前記第２の映像の再生を再開させる制御手段を有し、
前記制御手段は、前記第２の映像の再生を再開させる場合は、前記第２の映像の再生を停止している箇所よりも前の箇所から前記第２の映像の再生を再開させるようにすることを特徴とする映像処理装置。
【請求項２】  放送波から得られた第１の映像と、記録媒体から再生された第２の映像とを表示手段に表示する第１の表示モードと、前記第１の映像を前記表示手段に表示するが、前記第２の映像を前記表示手段に表示しない第２の表示モードとを有する映像処理装置における制御方法であって、
前記第１の表示モードを前記第２の表示モードに切り換えるための指示が検出された場合は、前記第２の映像の再生を停止させる第１のステップと、
前記第２の表示モードを前記第１の表示モードに切り換えるための指示が検出された場合は、前記第２の映像の再生を再開させる第２のステップとを有し、
前記第２のステップは、前記第２の映像の再生を再開させる場合は、前記第２の映像の再生を停止している箇所よりも前の箇所から前記第２の映像の再生を再開させるようにすることを特徴とする制御方法。
【請求項３】  放送波から得られた第１の映像と、記録媒体から再生された第２の映像とを表示手段に表示する第１の表示モードと、前記第２の映像を前記表示手段に表示するが、前記第１の映像を前記表示手段に表示しない第２の表示モードとを有する映像処理装置であって、
前記第１の表示モードを前記第２の表示モードに切り換えるための指示が検出された場合は、前記第１の映像の記録を開始させる制御手段を有することを特徴とする映像処理装置。
【請求項４】  前記映像処理装置は、前記第１の映像を前記表示手段に表示するが、前記第２の映像を前記表示手段に表示しない第３の表示モードをさらに有し、
前記制御手段は、前記第１の表示モードを前記第３の表示モードに切り換えるための指示が検出された場合は、前記第２の映像の再生を停止させ、前記第３の表示モードを前記第１の表示モードに切り換えるための指示が検出された場合は、前記第２の映像の再生を再開させることを特徴とする請求項３に記載の映像処理装置。
【請求項５】  放送波から得られた第１の映像と、記録媒体から再生された第２の映像とを表示手段に表示する第１の表示モードと、前記第２の映像を前記表示手段に表示するが、前記第１の映像を前記表示手段に表示しない第２の表示モードとを有する映像処理装置における制御方法であって、
前記第１の表示モードを前記第２の表示モードに切り換えるための指示が検出された場合は、前記第１の映像の記録を開始させるステップを有することを特徴とする制御方法。
【請求項６】  前記映像処理装置は、前記第１の映像を前記表示手段に表示するが、前記第２の映像を前記表示手段に表示しない第３の表示モードをさらに有し、
前記制御方法は、前記第１の表示モードを前記第３の表示モードに切り換えるための指示が検出された場合は、前記第２の映像の再生を停止させるステップと、
前記第３の表示モードを前記第１の表示モードに切り換えるための指示が検出された場合は、前記第２の映像の再生を再開させるステップとをさらに有することを特徴とする請求項５に記載の制御方法。
【請求項７】  放送波から得られた第１の映像と、記録媒体から再生された第２の映像とを前記表示手段に表示している場合において、前記第２の映像の再生を一時停止するための指示が検出されたときは、前記第１の映像のサイズを当該サイズよりも大きいサイズに変更し、前記第１の映像と前記第２の映像とを前記表示手段に表示している場合において、前記第２の映像の再生を一時停止するための指示が検出されたときは、前記第２の映像のサイズを当該サイズよりも小さいサイズに変更する制御手段を有することを特徴とする映像処理装置。
【請求項８】  前記制御手段は、前記第１の映像と前記第２の映像とを前記表示手段に表示している場合において、前記第２の映像の再生を再開させるための指示が検出されたときは、前記第１の映像のサイズを当該サイズよりも小さいサイズに変更し、前記第１の映像と前記第２の映像とを前記表示手段に表示している場合において、前記第２の映像の再生を再開させるための指示が検出されたときは、前記第２の映像のサイズを当該サイズよりも大きいサイズに変更することを特徴とする請求項７に記載の映像処理装置。
【請求項９】  前記第２の映像の再生を再開させる場合は、前記第２の映像の再生を一時停止している箇所よりも前の箇所から前記第２の映像の再生を再開させることを特徴とする請求項８に記載の映像処理装置。
【請求項１０】  映像処理装置における制御方法であって、
放送波から得られた第１の映像と、記録媒体から再生された第２の映像とを前記表示手段に表示している場合において、前記第２の映像の再生を一時停止するための指示が検出されたときは、前記第１の映像のサイズを当該サイズよりも大きいサイズに変更するステップと、
前記第１の映像と前記第２の映像とを前記表示手段に表示している場合において、前記第２の映像の再生を一時停止するための指示が検出されたときは、前記第２の映像のサイズを当該サイズよりも小さいサイズに変更するするステップとを有することを特徴とする制御方法。
【請求項１１】  前記第１の映像と前記第２の映像とを前記表示手段に表示している場合において、前記第２の映像の再生を再開させるための指示が検出されたときは、前記第１の映像のサイズを当該サイズよりも小さいサイズに変更するステップと、
前記第１の映像と前記第２の映像とを前記表示手段に表示している場合において、前記第２の映像の再生を再開させるための指示が検出されたときは、前記第２の映像のサイズを当該サイズよりも大きいサイズに変更するステップとをさらに有することを特徴とする請求項１０に記載の制御方法。
【請求項１２】  前記第２の映像の再生を再開させる場合は、前記第２の映像の再生を一時停止している箇所よりも前の箇所から前記第２の映像の再生を再開させることを特徴とする請求項１１に記載の制御方法。
【手続補正３】
【補正対象書類名】明細書
【補正対象項目名】０００７
【補正方法】変更
【補正の内容】
【０００７】
【課題を解決するための手段】
本発明に係る映像処理装置の一つは、放送波から得られた第１の映像と、記録媒体から再生された第２の映像とを表示手段に表示する第１の表示モードと、前記第１の映像を前記表示手段に表示するが、前記第２の映像を前記表示手段に表示しない第２の表示モードとを有する映像処理装置であって、前記第１の表示モードを前記第２の表示モードに切り換えるための指示が検出された場合は、前記第２の映像の再生を停止させ、前記第２の表示モードを前記第１の表示モードに切り換えるための指示が検出された場合は、前記第２の映像の再生を再開させる制御手段を有し、前記制御手段は、前記第２の映像の再生を再開させる場合は、前記第２の映像の再生を停止している箇所よりも前の箇所から前記第２の映像の再生を再開させるようにすることを特徴とする。
【手続補正４】
【補正対象書類名】明細書
【補正対象項目名】０００８
【補正方法】変更
【補正の内容】
【０００８】
本発明に係る制御方法の一つは、放送波から得られた第１の映像と、記録媒体から再生された第２の映像とを表示手段に表示する第１の表示モードと、前記第１の映像を前記表示手段に表示するが、前記第２の映像を前記表示手段に表示しない第２の表示モードとを有する映像処理装置における制御方法であって、前記第１の表示モードを前記第２の表示モードに切り換えるための指示が検出された場合は、前記第２の映像の再生を停止させる第１のステップと、前記第２の表示モードを前記第１の表示モードに切り換えるための指示が検出された場合は、前記第２の映像の再生を再開させる第２のステップとを有し、前記第２のステップは、前記第２の映像の再生を再開させる場合は、前記第２の映像の再生を停止している箇所よりも前の箇所から前記第２の映像の再生を再開させるようにすることを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明に係る映像処理装置の一つは、放送波から得られた第１の映像と、記録媒体から再生された第２の映像とを表示手段に表示する第１の表示モードと、前記第２の映像を前記表示手段に表示するが、前記第１の映像を前記表示手段に表示しない第２の表示モードとを有する映像処理装置であって、前記第１の表示モードを前記第２の表示モードに切り換えるための指示が検出された場合は、前記第１の映像の記録を開始させる制御手段を有することを特徴とする。
【手続補正８】
【補正対象書類名】明細書
【補正対象項目名】００１２
【補正方法】変更
【補正の内容】
【００１２】
本発明に係る制御方法の一つは、放送波から得られた第１の映像と、記録媒体から再生された第２の映像とを表示手段に表示する第１の表示モードと、前記第２の映像を前記表示手段に表示するが、前記第１の映像を前記表示手段に表示しない第２の表示モードとを有する映像処理装置における制御方法であって、前記第１の表示モードを前記第２の表示モードに切り換えるための指示が検出された場合は、前記第１の映像の記録を開始させるステップを有することを特徴とする。
【手続補正９】
【補正対象書類名】明細書
【補正対象項目名】００１３
【補正方法】変更
【補正の内容】
【００１３】
本発明に係る映像処理装置の一つは、放送波から得られた第１の映像と、記録媒体から再生された第２の映像とを前記表示手段に表示している場合において、前記第２の映像の再生を一時停止するための指示が検出されたときは、前記第１の映像のサイズを当該サイズよりも大きいサイズに変更し、前記第１の映像と前記第２の映像とを前記表示手段に表示している場合において、前記第２の映像の再生を一時停止するための指示が検出されたときは、前記第２の映像のサイズを当該サイズよりも小さいサイズに変更する制御手段を有することを特徴とする。
【手続補正１０】
【補正対象書類名】明細書
【補正対象項目名】００１４
【補正方法】変更
【補正の内容】
【００１４】
本発明に係る制御方法の一つは、映像処理装置における制御方法であって、放送波から得られた第１の映像と、記録媒体から再生された第２の映像とを前記表示手段に表示している場合において、前記第２の映像の再生を一時停止するための指示が検出されたときは、前記第１の映像のサイズを当該サイズよりも大きいサイズに変更するステップと、前記第１の映像と前記第２の映像とを前記表示手段に表示している場合において、前記第２の映像の再生を一時停止するための指示が検出されたときは、前記第２の映像のサイズを当該サイズよりも小さいサイズに変更するステップとを有することを特徴とする。
【手続補正１１】
【補正対象書類名】明細書
【補正対象項目名】００５５
【補正方法】変更
【補正の内容】
【００５５】
ステップＳ３３：ＣＰＵ６２は、２ウインドウキー１００が押されたか否かを判定する。ＣＰＵ６２は、２ウインドウキー１００が押されたことを検出した場合、ステップＳ３４からステップＳ３６までの処理の制御を開始する。この場合、ＣＰＵ６２は、放送モードから２ウインドウモードに戻る。
【手続補正１２】
【補正対象書類名】明細書
【補正対象項目名】００７４
【補正方法】変更
【補正の内容】
【００７４】
（第３の実施の形態）
図８は、第３の実施の形態における映像処理装置の処理手順を説明するフローチャートである。第３の実施の形態では、第１の実施の形態の一部を変更した形態を説明する。具体的には、図５のステップＳ３４の処理を図８のステップＳ５１の処理に置き換えた形態を説明する。なお、図４のステップＳ１１からステップＳ２２までの処理、図５のステップＳ２３からステップＳ３３までの処理、および、図５のステップＳ３５からステップＳ３６までの処理は第１の実施の形態と同じであるので詳細な説明を省略する。
【手続補正１３】
【補正対象書類名】明細書
【補正対象項目名】００７５
【補正方法】変更
【補正の内容】
【００７５】
ステップＳ５１：ＨＤＤインターフェース２８は、ＣＰＵ６２からの指示に従い、ステップＳ３１で一時停止した箇所の少し前（例えば、３秒前）からトランスポートストリームの再生を再開する。